(57)【要約】【課題】  直線圧縮接続箇所への取付作業が容易に行えると共に、排水も良好で且つ電線の長期的な保全効果をも兼ね備える絶縁スリーブカバーを提供することにある。【解決手段】  分断された各電線間をスリーブで接続した直線圧縮接続箇所を覆う絶縁スリーブカバーであって、カバー本体は、分断された一方の電線Ｌ側と他方の電線Ｒ側とに、それぞれを分割する２つのパーツ２，３から構成し、前記各パーツ２，３は、結合手段４，５，８，９によって着脱可能に形成していることを特徴とする。【選択図】      図２
2006216309.tif 000002
【特許請求の範囲】
【請求項１】
分断された各電線間をスリーブで接続した直線または分岐する圧縮接続箇所を覆う絶縁スリーブカバーであって、
カバー本体は、分断された一方の電線（Ｌ）側と他方の電線（Ｒ）側とに、それぞれを分割する２つのパーツ（２，３）から構成し、
前記各パーツ（２，３）は、結合手段（４，５，８，９）によって着脱可能に形成していることを特徴とする絶縁スリーブカバー。
【請求項２】
前記各パーツ（２，３）は、接続箇所（１３，Ｌ，Ｒ）との接触面側の全て或いは一部に、リブ（６）を備えていることを特徴とする請求項１記載の絶縁スリーブカバー。
【請求項３】
前記各パーツ（２，３）には、排水手段（９，Ｓ）を備えていることを特徴とする請求項１又は２記載の絶縁スリーブカバー。
【請求項４】
電線離隔器を基準とする固定側と伸縮側とに分断した各電線に、分割した２つのパーツを各々被せていくステップと、前記分割状態にある各電線を結合するステップと、結合された電線に沿って前記２つのパーツを次第に接近し、これを結合するステップとを経ることを特徴とする絶縁スリーブカバーの取付方法。
【発明の詳細な説明】
【技術分野】
【０００１】
本発明は高圧架空配電線路において、張力のかかる電線の直線圧縮接続箇所の絶縁処理作業に使用する絶縁スリーブカバーと、その取付方法に関するものである。
【背景技術】
【０００２】
直線または分岐等した圧縮接続箇所（以下、接続箇所と記す）の絶縁処理作業は一般に、まず、高所作業車によって作業者を乗せたバケットを上昇した後、初期工程として、ホットスティックと呼ばれる間接活線工具を操作して、電線離隔器２６で保持した電線における接続予定箇所の分断作業を行う（以下、分断された一方の電線を前記電線離隔器２６を基準として固定側電線Ｌとし、他方の電線を伸縮側電線Ｒと記す）。そして、分断された各電線のうちの固定側において、まず図６（ａ）のように、ホットスティック２２を操作しながら樹脂製、或いはゴム製の絶縁スリーブカバー（以下、カバーと記す）２１を徐々に被せていき、該カバー２１が完全に固定側電線Ｌに被さった後に、当該カバー２１の後端側の口において前記固定側電線Ｌの先端部分が露出した段階で、電線離隔器２６によって伸縮側電線Ｒを固定側電線Ｌ側に引き寄せ、各電線Ｌ，Ｒの先端部分を金属製のスリーブ２３の両端口にそれぞれ差し込み、これを圧縮して当該各電線Ｌ，Ｒを接続する。
【０００３】
次いで図６（ｂ）のように、固定側電線Ｌの側に寄せられたカバー２１を、ホットスティック２２を操作しながら、スリーブ２３が剥き出した状態にある各電線Ｌ，Ｒの接続箇所に向けて移動し、該接続箇所をカバー２１によって被覆した後は、図６（Ｃ）のように、巻付用ユニット２４を先端に備えたホットスティック２２を用いて、前記カバー２１の両端側に粘着テープ２５を約二周半回転ほど巻き付け、該カバー２１を接続箇所に被覆した状態で位置決めすることで、絶縁処理作業を完了するものであった。
【特許文献１】特開２００１−５７２４８号公報（１頁目、図１）
【特許文献２】特開２０００−２７８８５４号公報（１頁目、図１）
【発明の開示】
【発明が解決しようとする課題】
【０００４】
しかしながら、従来の絶縁処理作業においては、スリーブの長さ以上のカバーを、電線に被せた状態のまま該電線に沿って移動させなければならなかったため、ホットスティックによる操作が必須な絶縁処理作業では、非常に煩わしく且つ作業効率の悪化を招くものであった。さらに、カバーを接続箇所に移動させた後においても、該カバーの両端部分に対し、同様に巻付用ユニットを先端に装着したホットスティックを操作して粘着テープを巻き付け、これを電線上で位置決めしなければならず、前述のカバーの移動作業に加えて大変煩わしいものであったから、更なる作業効率の悪化を招く問題点があった。しかも、接続箇所の被覆に使われるカバーは、一体的なチューブ状のものが使用されていたために、例えば、雨水等がカバー内に浸水した場合には排水がなされず、該カバー内に貯まり続けた水分が電線やスリーブを短期間で腐食させる問題点もあった。
【０００５】
本発明は上記課題を鑑みて発明されたものであり、直線圧縮接続箇所への取付作業が容易に行えると共に、排水も良好で且つ電線の長期的な保全効果をも兼ね備える絶縁スリーブカバーと、その取付方法を提供することにある。
【課題を解決するための手段】
【０００６】
本発明のうち請求項１記載の発明は、分断された各電線間をスリーブで接続した接続箇所を覆う絶縁スリーブカバーであって、カバー本体は、分断された一方の電線側と他方の電線側とに、それぞれを分割する２つのパーツから構成し、前記各パーツは、結合手段によって着脱可能に形成していることを特徴とする。また本絶縁スリーブカバーの取付方法は請求項４記載の発明のように、電線離隔器を基準とする固定側と伸縮側とに分断した各電線に、分割した２つのパーツを各々被せていくステップと、前記分割状態にある各電線を結合するステップと、結合された電線に沿って前記２つのパーツを次第に接近し、これを結合するステップとを経ることを特徴とする。
【０００７】
接続箇所とは、分断した各電線及びスリーブを全て含んだ概念である。各パーツの形状は、分断した各電線への取り付けが可能であり、しかも前記各パーツが結合した状態では、電線の接続箇所において絶縁は勿論、雨等が直接降りかからないように覆われていればよく、例えば、筒状、スリーブ状等が挙げられる。また結合手段は、ホットスティックの操作によって、各パーツを容易に着脱できるものであればよく、例えば、分断した一方の電線の側にあるパーツに嵌凹筒を設け、他方の電線の側にあるパーツには、前記嵌凹筒内に突入して嵌り込む嵌入筒を設けたり、或いは、一方のパーツの外周面に係止爪を備え、他方のパーツには前記係止爪の引掛かる位置に受孔を備え、それぞれがスナップ式に嵌り込むように形成したものや、各パーツがネジ式に羅合するもの、さらには前記例に挙げたものが複合する形態であってもよい。さらに各パーツの素材は、絶縁性は勿論、鳥の爪や嘴等で破損しない程度の耐性を兼ね備えるものであればよく、例えば、ポリエチレン樹脂等に代表される樹脂類、或いは、強化ゴムなどが挙げられる。
【０００８】
カバー本体を、結合手段よって着脱の可能な２つのパーツに分割形成してあることで、分断した各電線間のスリーブ取付工程の前段階において、ホットスティックの操作によって、各パーツをそれぞれ、分断した一方の電線の側と他方の電線の側とに予め移動しておき、さらに各電線間にスリーブを接続した後は、前記各パーツをそれぞれ引き寄せて結合し、各電線間の接続箇所を覆うことができる。
【０００９】
本発明のうち請求項２記載の発明では、前記各パーツは、接続箇所との接触面側の全て或いは一部に、リブを備えているので、本カバーを接続箇所に取り付けた後、例えば電線の撓みとともに、前記カバーが電線に沿って不意に移動しようとした場合、前記各リブの突出先端部分が、前記電線の被覆面やスリーブの凹凸に当接し、それ以上の移動を抑制する。
【００１０】
ここでリブとは、パーツにおける接続箇所との接触面に備えられる突起物の全てを意味している。また前記リブの形状や数については、特に限定するものではない。
【００１１】
本発明のうち請求項３記載の発明は、前記各パーツには、排水手段を備えているので、万一、本カバーを接合箇所に取付けた後、該カバー内に雨水等が浸水した場合であっても、水滴が前記カバー内周面を伝って底側に貯まり、さらに排水手段を備えた箇所からカバーの外に流れ落ちていくので、カバー内に長時間水が溜まることがない。
【００１２】
排水手段はカバー内に浸水した水分を外に排水できるものであればよく、例えば各パーツの底部側に、当該各パーツの内外を連通するような排水口を備えたり、或いは、各パーツの結合部分を隙間が空くように緩めた状態で結合してもよい。
【発明の効果】
【００１３】
本発明によれば、絶縁処理作業において、ホットスティックの操作によってカバーを移動させる間隔が短く済むので、作業効率が飛躍的に向上し、さらに、絶縁処理作業が高所作業車のバケット上という限られたスペース上で行われる作業であるため、カバーの移動間隔を短くできることは、作業者の身体の動きを小さくでき、結果的に、作業安全面の向上においても寄与できる。
【００１４】
本発明のうち請求項２記載の発明によれば、カバーの両端側を、従来のようにホットスティックの操作によって粘着テープ巻きすることなく、前記カバーによる接続箇所の被覆状態を確実に維持できるので、作業効率を飛躍的に向上できる。
【００１５】
本発明のうち請求項３記載の発明によれば、万一、カバー内に雨水等が浸水しても、確実な排水がなされるので、電線やスリーブの腐食を防止して長期的な保全を可能とする。
【発明を実施するための最良の形態】
【００１６】
次に、本発明の絶縁スリーブカバーの一実施形態を以下に説明する。
本絶縁スリーブカバーは図１と図２のように、結合手段４，５を介して左右に分割する２つの樹脂製の筒状パーツ２，３からなり、まず、固定側電線Ｌの側にある筒状パーツ２の嵌凹筒５は、その径が離反側部分に比べて膨らみをもって形成してあり、さらに図３のように、前記嵌凹筒５の外周面には180°間隔の２カ所に、それぞれ筒壁を貫通する受孔９を備えている。一方、伸縮側電線Ｒの側にある筒状パーツ３の嵌入筒４は、前記固定側電線Ｌの側にある筒状パーツ２の嵌凹筒５の内径よりも僅かに小さな筒径をなし、さらに、嵌入筒４の外周面側には、前記受孔９に係合可能な対応位置に、それぞれ係止爪８を備えている。そして各筒状パーツ２，３の結合時には、受孔９，９に対して係止爪８，８がスナップ式に嵌り込み、これにより、嵌凹筒５と嵌入筒４との筒壁の重なり部分に僅かな隙間Ｓを有した状態で結合される。
尚、各筒状パーツ２，３を取り外す際は、いずれか一方の筒状パーツ２，３を、ホットスティック１２の操作によって僅かに回し、係止爪８と受孔９との係合状態を解除した後、各筒状パーツ２，３を引き離すことで容易に行なえる（図５（ａ）参照）。
【００１７】
また図４のように、電線Ｌ，Ｒの接続箇所に既に取付けられた本カバーは、風等の影響による電線Ｌ，Ｒの撓みに伴って、該電線Ｌ，Ｒにおける固定側Ｌ及び伸縮側Ｒのそれぞれの方向へズレる場合がある。この対処として、各筒状パーツ２，３の結合手段４，５の離反側の端部には、それぞれに筒の内周面から該筒の中心に向けて突出するリブ６が、６０°間隔で６箇所に設けてある。さらに、各筒状パーツ２，３の端縁には、当該各リブ６間の６箇所に、各リブ６と平行する状態で切目１６が設けてあり、各切目１６によって分断された部分を、それぞれ内向きに曲げることで板バネ状の押さえ片１４が形成される。そして、前記各押さえ片１４の先端部分が電線Ｌ，Ｒの被覆面側に窄まるように近接し、該電線Ｌ，Ｒにおける取付後の本カバーの固定側Ｌ及び伸縮側Ｒとの隙間部分を極力狭くして、鳥害やゴミの浸入を防いでいる。
【００１８】
また前記受孔９は、排水手段としても兼用される。詳しくは、各筒状パーツ２，３の嵌入筒４と嵌凹筒５との重なり合う筒壁同士、つまり、前記嵌入筒４の外周面と嵌凹筒５の内周面との間において、僅かに隙間Ｓが空くように嵌入筒４と嵌凹筒５との径を設定してあり、各筒状パーツ２，３の結合時において、敢えて結合手段４，５がグラグラと緩む状態となるようにしている。このことから万一、雨水がカバー内に浸水した場合でも、各筒状パーツ２，３の底部に流れ込んだ雨水が、前記隙間Ｓを通過した後、係止爪８のテーパ部分により形成された嵌凹筒５の筒壁との間隔を介して受孔９に到達し、最終的に、前記雨水は該受孔９からカバーの外に流れ落ちていく。
【００１９】
また図示は省くが、各筒状パーツ２，３の筒壁において、離反側端部から結合手段４，５に向かうに従って、それぞれの筒径が拡がるように形成すれば、当該各筒状パーツ２，３の結合時には、筒内底部において結合手段４，５に向かう下がり勾配の傾斜が設けられ、これにより、受孔９に向けて雨水が集約しやすくなる。
【００２０】
次に、前記の本カバーを実際に接続箇所に取り付ける工程を、各図面に基づいて順を追って説明する。
まず、電線離隔器１５を基準とする固定側と伸縮側とに分断した各電線Ｌ，Ｒを、電線離隔器１５両端側の作用部によってそれぞれ把持する。次に図５（ａ）のように、前記電線離隔器１５の固定側・伸縮側の各電線Ｌ，Ｒに、ホットスティック１２の操作によって、各筒状パーツ２，３を各電線Ｌ，Ｒの先端が、嵌入筒４・嵌凹筒５の開口から露出するまで徐々に被せていく。次いで、固定側電線Ｌにスリーブ１３の一端を挟んで圧縮し、前記スリーブ１３と各電線Ｌ，Ｒの先端とを離脱不能な状態で取り付ける。
【００２１】
そして図５（ｂ）のように、固定側電線Ｌと伸縮側電線Ｒとの側に、それぞれ寄せられた各筒状パーツ２，３を、ホットスティック１２の操作によって、スリーブ１３全体を覆う位置にまで近付ける。さらに、ホットスティック１２によって一方の筒状パーツ２を固定しながら、別のホットスティック１２を操作して、他方の筒状パーツ３を、前記固定済みの筒状パーツ２側に押し込むことで、各筒状パーツ２，３の結合手段４，５における係止爪８と受孔９とがスナップ式に嵌り込み、筒状パーツ２，３同士を結合して接続箇所１３，Ｌ，Ｒの絶縁処理作業を完了する［図５（ｃ）参照］。
【図面の簡単な説明】
【００２２】
【図１】本発明による絶縁スリーブカバーの使用状態を示す側面図である。
【図２】図１の縦断面図である。
【図３】図２中Ａを拡大して示す縦断面図である。
【図４】図２のＢ−Ｂ線拡大縦断面図である。
【図５（ａ）（ｂ）（ｃ）】本発明による絶縁スリーブカバーの取付工程（絶縁処理作業）を示す説明図である。
【図６（ａ）（ｂ）（ｃ）】従来の絶縁スリーブカバーの取付工程（絶縁処理作業）を示す説明図である。
【符号の説明】
【００２３】
２，３  筒状パーツ（パーツ）
４  嵌入筒（結合手段）
５  嵌凹筒（結合手段）
６  リブ
８  係止爪（結合手段）
９  受孔（結合手段、排水手段）
１３  スリーブ（接続箇所）
Ｌ  固定側電線（接続箇所）
Ｒ  伸縮側電線（接続箇所）
Ｓ  隙間（排水手段）
【図１】
2006216309.tif 000003
【図２】
2006216309.tif 000004
【図３】
2006216309.tif 000005
【図４】
2006216309.tif 000006
【図５（ａ）（ｂ）（ｃ）】
2006216309.tif 000007
【図６（ａ）（ｂ）（ｃ）】
2006216309.tif 000008